(57)【要約】【課題】使用者がＶＣＲ及びＤＶＤＰ複合装置の共用データ（ｓｈａｒｅｄ　ｄａｔａ）をＶＣＲ部及びＤＶＤＰ部中何れか一つの部に設定すると、他の部にも前記共用データが自動的に設定されるようにして簡便を図り得る複合装置及びその方法を提供する。【解決手段】第１機能を実施する第１中央処理装置を有していて、前記第１機能を実施する前に要請された情報を受信する第１装置と、第２機能を実施する第２中央処理装置を有し、前記第２機能を実施する前に前記要請された情報を受信する第２装置を含んでいて、この時、前記第１及び第２機能は異なり、前記システムは、前記第１及び第２装置が前記各機能を実施するためにそれぞれ動作する前に、一度だけ前記要請された情報を受信するようにシステムを構成する。【選択図】　　　図１
2004032667.tif 000002
【特許請求の範囲】
【請求項１】
第１機能を実施する第１中央処理装置を有していて、前記第１機能を実施する前に要請された情報を受信する第１装置と、
第２機能を実施する第２中央処理装置を有し、前記第２機能を実施する前に前記要請された情報を受信する第２装置を含んでいて、この時、前記第１及び第２機能は異なり、前記システムは、前記第１及び第２装置が前記各機能を実施するためにそれぞれ動作する前に、一度だけ前記要請された情報を受信するように構成されることを特徴とするシステム。
【請求項２】
前記第１及び第２装置は、
前記第１及び第２装置中何れか一つは、前記要請された情報を受信するために構成され、前記第１及び第２装置中他の一つは、前記一つの装置から直接前記要請された情報を受信することを特徴とする請求項１記載のシステム。
【請求項３】
前記各装置間に前記要請された情報を直接伝送する前記第１及び第２装置間に連結されるコネクターを含むことを特徴とする請求項２記載のシステム。
【請求項４】
前記第１及び第２電子装置中何れか一つはＶＣＲで、他の一つはＤＶＤであることを特徴とする請求項２記載のシステム。
【請求項５】
前記第１及び第２装置は、
前記要請された情報を入力するための前記第１装置または前記第２装置によって、一度だけ実施されるセットアップモードを通して前記要請された情報を受信するために構成されることを特徴とする請求項１記載のシステム。
【請求項６】
前記システムは、
使用者入力を受信するために構成された一つのキー入力部を有することを特徴とする請求項１記載のシステム。
【請求項７】
中央処理装置、格納装置、及びディスプレイ制御器を含む第１マイクロプロセッサーと第１非揮発性メモリーを有し、第１情報を使用するＶＣＲと、
中央処理装置、格納装置、及びディスプレイ制御器を含む第２マイクロプロセッサーと第２非揮発性メモリーを有し、前記第１情報を使用するＤＶＤＰと、
前記各中央処理装置間に前記第１情報を伝送するために構成された前記第１及び第２中央処理装置間に連結されるコネクターと、
ディスプレイ装置を駆動するために構成された第１及び第２ディスプレイ制御器間に連結され、一つの中央処理装置に連結されるスイッチング部と、
使用者から前記第１情報を含む制御情報を受信するために構成され、前記一つのＣＰＵを含む前記ＶＣＲ及びＤＶＤＰ中何れか一つに含まれる一つの使用者入力部と、を含んで構成されることを特徴とするＶＣＲ及びＤＶＤＰ複合装置。
【請求項８】
前記第１情報は、
前記ＶＣＲ及びＤＶＤＰがすべて動作される前に、複合装置に一度だけ受信されることを特徴とする請求項７記載のＶＣＲ及びＤＶＤＰ複合装置。
【請求項９】
前記要請された情報は、
セットアップメニューを通して受信され、前記ＶＣＲは第１読出し専用メモリー（Ｒｅａｄ　Ｏｎｌｙ　Ｍｅｍｏｒｙ：ＲＯＭ）を含んでいて、前記ＤＶＤＰは第２読出し専用メモリー（ＲＯＭ）を含むことを特徴とする請求項８記載のＶＣＲ及びＤＶＤＰ複合装置。
【請求項１０】
異なる機能を遂行する第１電子機器と第２電子機器の複合装置であって、
該複合装置の共用データを第１電子機器で設定する第１段階と、
該第１電子機器で設定された共用データを第２電子機器に自動的に設定する第２段階と、を順次行うことを特徴とする複合装置の共用データ設定方法。
【請求項１１】
前記共用データは、
国家コードに該当する国家データ、言語コードに該当する言語データ、等級制限視聴可能（ｐａｒｅｎｔ　ｌｏｃｋ）データ中何れか一つ以上のデータを含んで構成されることを特徴とする請求項１０記載の複合装置の共用データ設定方法。
【請求項１２】
前記共用データ設定の第１段階は、
複数の国家コードを画面上にディスプレイする段階と、
前記各国家コード中、使用者が選択した国家コードに該当する国家データを前記第１電子機器及び前記第２電子機器中何れか一つの部の格納部に格納する段階と、を順次行うことを特徴とする請求項１１記載の複合装置の共用データ設定方法。
【請求項１３】
前記使用者が選択した国家コードに該当する言語コードの言語データを前記第１電子機器及び前記第２電子機器中何れか一つの部の格納部に格納する段階を更に行うことを特徴とする請求項１２記載の複合装置の共用データ設定方法。
【請求項１４】
前記共用データ設定の第２段階は、
前記格納された国家データ及び前記言語データを前記他の部の格納部に自動的に格納する段階から構成されることを特徴とする請求項１３記載の複合装置の共用データ設定方法。
【請求項１５】
前記共用データ設定の第２段階は、
前記使用者が選択した国家コードを根拠にディスクに記録された言語を前記使用者が選択した国家の言語に自動的に設定することを特徴とする請求項１４記載の複合装置の共用データ設定方法。
【請求項１６】
前記ディスクに記録された言語は、
字幕言語、オーディオ言語、及びサブ−タイトル言語中少なくとも何れか一つ以上の言語を含むことを特徴とする請求項１５記載の複合装置の共用データ設定方法。
【請求項１７】
前記共用データ設定の第１段階は、
各等級制限視聴可能（ｐａｒｅｎｔ　ｌｏｃｋ）等級（ｒａｔｉｎｇ　ｇｒａｄｅ）を画面上にディスプレイする段階と、
前記使用者により選択された各等級制限視聴可能（ｐａｒｅｎｔ　ｌｏｃｋ）等級（ｒａｔｉｎｇｇｒａｄｅ）に該当する等級制限視聴可能（ｐａｒｅｎｔ　ｌｏｃｋ）等級（ｒａｔｉｎｇ　ｇｒａｄｅ）データを前記第１電子機器及び前記第２電子機器中何れか一つの部の格納部に格納する段階と、を順次行うことを特徴とする請求項１０記載の複合装置の共用データ設定方法。
【請求項１８】
前記共用データ設定の第２段階は、
前記格納された等級制限視聴可能（ｐａｒｅｎｔ　ｌｏｃｋ）等級（ｒａｔｉｎｇ　ｇｒａｄｅ）データを前記他の部の格納部に自動的に格納する段階から構成されることを特徴とする請求項１７記載の複合装置の共用データ設定方法。
【請求項１９】
使用者の要求によってモニター上に表示された”オンスクリーンディスプレイ”（Ｏｎ　Ｓｃｒｅｅｎ　Ｄｉｓｐｌａｙ）上で特定メニューを選択するキー（Ｋｅｙ）入力部と、
前記使用者が前記モニター上に表示されたセットアップ（ｓｅｔ−ｕｐ）メニューの各共用メニューを前記キー入力部を通して選択すると、その選択された各共用メニューに該当する第１機器及び第２機器の複合装置の共用データを出力する第１中央処理装置（ｃｅｎｔｒａｌ　ｐｒｏｃｅｓｓｉｎｇ　ｕｎｉｔ）と、
該第１中央処理装置から選択された各共用メニューに該当する共用データをそれぞれ格納する第１格納部と、
前記第１中央処理装置から選択された各共用メニューに該当する共用データをそれぞれ伝送するコネクターと、
該コネクターを通して伝送された共用データを自動的に受信して、その受信された各共用データを出力する第２中央処理装置と、
該第２中央処理装置から出力された共用メニューに該当する各共用データを格納する第２格納部と、を含んで構成されることを特徴とする複合装置の共用データ設定装置。
【請求項２０】
前記共用メニューは、
前記複合装置の第１電子機器及び第２電子機器で共通に使用するメニューであることを特徴とする請求項１９記載の複合装置の共用データ設定装置。
【請求項２１】
前記共用メニューは、
各国家コードを表示するＡＣＭＳメニューと、言語コードを表示する言語メニューと、等級制限視聴可能（ｐａｒｅｎｔ　ｌｏｃｋ）メニューと、を含んで構成されることを特徴とする請求項１９記載の複合装置の共用データ設定装置。
【請求項２２】
前記共用データは、
国家コードに該当する国家データ、言語コードに該当する言語データ、及び等級制限視聴可能（ｐａｒｅｎｔ　ｌｏｃｋ）データ中何れか一つ以上のデータを含んで構成されることを特徴とする請求項１９記載の複合装置の共用データ設定装置。
【請求項２３】
前記第２中央処理装置は、
前記コネクターを通して前記各共用メニューに該当するデータがそれぞれ受信されない時前記セットアップメニューを出力して、該セットアップメニュー上に表示された各共用メニューから使用者が何れか一つのメニューを選択すると、その選択したメニューに該当するデータを出力することを特徴とする請求項２２記載の複合装置の共用データ設定装置。
【請求項２４】
前記第２中央処理装置は、
前記国家コードを根拠にディスクに記録された言語を前記使用者が選択した国家の言語に自動的に設定することを特徴とする請求項２３記載の複合装置の共用データ設定装置。
【請求項２５】
前記ディスクに記録された言語は、
オーディオ言語、字幕言語、及びサブ−タイトル言語中少なくとも何れか一つ以上であることを特徴とする請求項２４記載の複合装置の共用データ設定装置。
【請求項２６】
前記第１及び第２格納部は、
ＥＥＰＲＯＭ（ｅｌｅｃｔｒｉｃａｌｌｙ　ｅｒａｓａｂｌｅ　ｐｒｏｇｒａｍｍａｂｌｅ　ｒｅａｄ−ｏｎｌｙ　ｍｅｍｏｒｙ）であることを特徴とする請求項１９記載の複合装置の共用データ設定装置。
【請求項２７】
前記第１中央処理装置の制御信号に依存して前記セットアップ（ｓｅｔ−ｕｐ）メニュー及び前記各共用メニューを前記モニター上に表示するオンスクリーンディスプレイ（Ｏｎ　Ｓｃｒｅｅｎ　Ｄｉｓｐｌａｙ）部を更に含むことを特徴とする請求項１９記載の複合装置の共用データ設定装置。
【請求項２８】
前記第１中央処理装置は、
前記複合装置の第１電子機器内に設置されて、該複合装置の前記第２電子機器内に設置された前記第２中央処理装置に前記共用データを自動的に伝送することを特徴とする請求項１９記載の複合装置の共用データ設定装置。
【請求項２９】
前記第１中央処理装置は、
前記複合装置の第２電子機器内に設置されて、前記複合装置の第２電子機器内に設置された前記第２中央処理装置に前記共用データを自動的に伝送することを特徴とする請求項１９記載の複合装置の共用データ設定装置。
【発明の詳細な説明】
【０００１】
【発明の属する技術分野】
本発明は、複合装置（Ｃｏｍｐｏｓｉｔｅ　Ａｐｐａｒａｔｕｓ）に係るもので、詳しくは、ビデオカセットレコーダ（ｖｉｄｅｏｃａｓｓｅｔｔｅ　ｒｅｃｏｒｄｅｒｓ；以下、ＶＣＲと略称す）及びデジタルビデオディスクプレーヤー（Ｄｉｇｉｔａｌ　Ｖｉｄｅｏ　Ｄｉｓｃ　Ｐｌａｙｅｒ；以下、ＤＶＤＰと略称す）を有する複合装置に関するものである。
【０００２】
【従来の技術】
最近、ＶＣＲ及びＤＶＤＰを一つの製品／装置に具現した複合装置が市販されている。通常、前記複合装置内のＶＣＲ用マイクロコンピューターはマスター（ｍａｓｔｅｒ）の機能を遂行するが、基本的な制御機能は前記複合装置内のＶＣＲ部及びＤＶＤＰ部にそれぞれ設置されたマイクロコンピューターによって実行される。
【０００３】
図８は従来ＶＣＲ及びＤＶＤＰの複合装置のデータ設定装置を示したブロック図で、図示されたように、前記ＶＣＲ及びＤＶＤＰの複合装置のデータ設定装置は、使用者の要求によってモニター４０上に表示されたオンスクリーンディスプレイ（Ｏｎ　Ｓｃｒｅｅｎ　Ｄｉｓｐｌａｙ；以下、ＯＳＤと略称す）から特定メニューを選択するキー（Ｋｅｙ）入力部１５と、使用者によりＶＣＲ部１０の初期セットアップ（ｓｅｔ−ｕｐ）メニュー（ｍｅｎｕ）が選択された時前記初期セットアップ（ｓｅｔ−ｕｐ）メニュー情報を出力することで、使用者が前記キー入力部１５を通して前記セットアップ（ｓｅｔ−ｕｐ）メニュー上の特定メニューを選択するとき、その選択された特定メニューに該当するデータを出力する中央処理装置（ｃｅｎｔｒａｌ　ｐｒｏｃｅｓｓｉｎｇ　ｕｎｉｔ）１４と、該中央処理装置１４の制御信号によって前記特定メニューをモニター４０上に表示するＯＳＤ部１３と、前記中央処理装置１４から選択された特定メニューに該当するデータを格納する電気的消却プログラム可能型読取専用メモリー（ｅｌｅｃｔｒｉｃａｌｌｙ　ｅｒａｓａｂｌｅ　ｐｒｏｇｒａｍｍａｂｌｅ　ｒｅａｄ−ｏｎｌｙ　ｍｅｍｏｒｙ；以下、ＥＥＰＲＯＭと略称す）１１と、使用者の要求によってモニター４０上に表示されたＯＳＤから特定メニューを選択するキー入力部２５と、使用者によりＤＶＤＰ部２０のセットアップ（ｓｅｔ−ｕｐ）メニューが選択された時前記初期セットアップ（ｓｅｔ−ｕｐ）メニュー情報を出力して、使用者が前記キー入力部２５を通して前記セットアップ（ｓｅｔ−ｕｐ）メニュー上の各特定メニューを選択すると、その選択された各特定メニューに該当するデータをそれぞれ出力する中央処理装置２３と、前記ＤＶＤＰ部２０のセットアップメニューを前記モニター４０上に表示するＯＳＤ部２１と、前記中央処理装置２３から出力されたデータを格納するＥＥＰＲＯＭ２４とから構成されている。
【０００４】
且つ、前記ＶＣＲ及びＤＶＤＰの複合装置のデータ設定装置内の第１マイクロコンピューターは、前記ＶＣＲ及びＤＶＤＰの複合装置のＶＣＲ部１０に設置された前記中央処理装置１４と、該中央処理装置１４の一時的なデータを格納するランダムアクセスメモリー（ｒａｎｄｏｍ　ａｃｃｅｓｓ　ｍｅｍｏｒｙ；以下、ＲＡＭと略称す）１２と、前記中央処理装置１４の制御信号によってセットアップメニューをモニター４０上に表示するＯＳＤ部１３とから構成されている。
【０００５】
また、前記ＶＣＲ及びＤＶＤＰの複合装置のデータ設定装置内の第２マイクロコンピューターは、前記ＶＣＲ及びＤＶＤＰの複合装置のＤＶＤＰ部２０内に設置されて、前記中央処理装置２３と、該中央処理装置２３の一時的なデータを格納するＲＡＭ２２と、前記中央処理装置２３の制御信号によってセットアップメニューをモニター４０上に表示するＯＳＤ部２１とから構成されている。
【０００６】
即ち、従来ＶＣＲ及びＤＶＤＰの複合装置のデータ設定装置は、前記セットアップメニューに該当するデータが前記ＶＣＲ部及びＤＶＤＰ部で共通的に使用されるデータであるにも拘わらず、使用者がキー入力部１５、２５を通して前記ＶＣＲ部及び前記ＤＶＤＰ部にそれぞれ前記セットアップメニューに該当するデータを設定するようになっている。
【０００７】
【発明が解決しようとする課題】
然るに、このような従来ＶＣＲ及びＤＶＤＰの複合装置のデータ設定装置においては、前記セットアップメニューに該当するデータを前記ＶＣＲ部及び前記ＤＶＤＰ部で共通的に使用するにも拘わらず、使用者がキー入力部を通して前記ＶＣＲ部に前記データを設定した後、他のキー入力部を通して前記ＤＶＤＰ部に再びデータを設定すべきであるため煩雑であるという不都合な点があった。
【０００８】
本発明は、このような従来の課題に鑑みてなされたもので、使用者がＶＣＲ及びＤＶＤＰ複合装置の共用データ（ｓｈａｒｅｄ　ｄａｔａ）をＶＣＲ部及びＤＶＤＰ部中何れか一つの部に設定すると、他の部にも前記共用データが自動的に設定されるようにして簡便を図り得る複合装置及びその方法を提供することを目的とする。
【０００９】
且つ、共通要求データを直接伝送するＶＣＲ及びＤＶＤＰの複合装置に共用データを設定する装置及びその方法を提供することを目的とする。
【００１０】
且つ、使用者のアクションなしに共有データを伝送するＶＣＲ及びＤＶＤＰの複合装置に共用データを設定する装置及びその方法を提供することを目的とする。
【００１１】
且つ、一つのキー入力部を使用するＶＣＲ及びＤＶＤＰの複合装置に共有データを設定する装置及びその方法を提供することを目的とする。
【００１２】
且つ、各ＶＣＲ及びＤＶＤＰ内のマイクロプロセッサーを通して、ＶＣＲ及びＤＶＤＰ間に共有データを直接伝送するためのコネクターを使用するＶＣＲ及びＤＶＤＰの複合装置に共有データを設定する装置及びその方法を提供することを目的とする。
【００１３】
【課題を解決するための手段】
このような目的を達成するため、本発明に係るシステムは、第１機能を実施する第１中央処理装置を有していて、前記第１機能を実施する前に要請された情報を受信する第１装置と、第２機能を実施する第２中央処理装置を有し、前記第２機能を実施する前に前記要請された情報を受信する第２装置を含んでいて、この時、第１及び第２機能は異なり、前記システムは、前記第１及び第２装置が前記各機能を実施するためにそれぞれ動作する前に、一度だけ前記要請された情報を受信するように構成されている。
【００１４】
且つ、本発明に係る複合装置の共用データ設定方法においては、異なる機能を遂行する第１電子機器と第２電子機器の複合装置において、前記複合装置の共用データを第１電子機器で設定する第１段階と、該第１電子機器で設定された共用データを第２電子機器に自動的に設定する第２段階と、を順次行うようになっている。
【００１５】
且つ、本発明に係る複合装置の共用データ設定装置においては、使用者の要求によってモニター上に表示されたＯＳＤ上で特定メニューを選択するキー（Ｋｅｙ）入力部と、前記使用者が前記モニター上に表示されたセットアップ（ｓｅｔ−ｕｐ）メニューの各共用メニューを前記キー入力部を通して選択すると、その選択された各共用メニューに該当する第１機器及び第２機器の複合装置の共用データをそれぞれ出力する第１中央処理装置（ｃｅｎｔｒａｌ　ｐｒｏｃｅｓｓｉｎｇ　ｕｎｉｔ）と、前記第１中央処理装置から選択された各共用メニューに該当する共用データをそれぞれ格納する第１格納部と、前記第１中央処理装置から選択された各共用メニューに該当する共用データをそれぞれ伝送するコネクターと、該コネクターを通して伝送された各共用データを自動的に受信して、前記受信された共用データをそれぞれ出力する第２中央処理装置と、該第２中央処理装置から出力された共用メニューに該当する共用データを格納する第２格納部とから構成されている。
【００１６】
【発明の実施の形態】
以下、本発明の実施の形態に対し、図面を用いて説明する。
【００１７】
使用者がＶＣＲ及びＤＶＤＰ複合装置のＶＣＲ部またはＤＶＤＰ部で共通に使用される国家コードに該当する国家データ、言語コードに該当する言語データ、及び等級制限視聴可能（ｐａｒｅｎｔ　ｌｏｃｋ）データを含む共用データ（ｓｈａｒｅｄ　ｄａｔａ）をＶＣＲ及びＤＶＤＰ複合装置のＶＣＲ部に設定するため、前記共用データをＤＶＤＰ部に自動的に（同様に）設定するか、又は、使用者が前記共用データをＤＶＤＰ部に設定すると、前記共用データがＶＣＲ部に自動的に設定される装置及びその方法の好ましい実施形態に対して、図１〜図７に基づいて詳細に説明する。
【００１８】
図１は本発明に係るＶＣＲ及びＤＶＤＰの複合装置の共用データ設定装置を示したブロック図である。
【００１９】
図１に示したように、本発明に係るＶＣＲ及びＤＶＤＰの複合装置の共用データ設定装置は、使用者の要求によってモニター４００上に表示されたＯＳＤで特定メニューを選択するキー（Ｋｅｙ）入力部１０５と、使用者によりＶＣＲ部１００の初期セットアップ（ｓｅｔ−ｕｐ）メニューが選択された時前記初期セットアップ（ｓｅｔ−ｕｐ）メニュー情報を出力して、使用者が前記キー入力部１０５を通して前記セットアップ（ｓｅｔ−ｕｐ）メニュー上の共用メニューをそれぞれ選択すると、その選択された各共用メニューに該当する共用データをそれぞれ出力する中央処理装置（ｃｅｎｔｒａｌ　ｐｒｏｃｅｓｓｉｎｇ　ｕｎｉｔ）１０４と、該中央処理装置１０４の制御信号によって前記各共用メニューをモニター４００上に表示するＯＳＤ部１０３と、前記中央処理装置１０４から選択された各共用メニューに該当する共用データをそれぞれ格納するＥＥＰＲＯＭ１０１と、前記中央処理装置１０４から選択された各共用メニューに該当する共用データをそれぞれ伝送するコネクター３００と、該コネクター３００を通して伝送されたデータを受信して、その受信された各データを前記ＤＶＤＰ部２００の共用データとして設定してＥＥＰＲＯＭ２０４に格納するように制御し、前記コネクター３００を通して前記各共用メニューに該当する共用データがそれぞれ受信されない時前記ＤＶＤＰ部２００のセットアップメニューを前記モニター４００に出力して、前記ＤＶＤＰ部２００のセットアップメニュー上に表示された各共用メニューから使用者が何れか一つのメニューを選択すると、その選択したメニューに該当する共用データを前記ＤＶＤＰ部２００の共用データとして設定してＥＥＰＲＯＭ２０４に格納するように制御する中央処理装置２０３と、前記ＤＶＤＰ部２００のセットアップメニューと前記ＤＶＤＰ部２００の各共用メニューとを前記モニター４００上に表示するＯＳＤ部２０１と、前記中央処理装置２０３から受信された共用メニューに該当する共用データをそれぞれ格納し、前記ＤＶＤＰ部２００の共用メニューに該当する共用データを格納するＥＥＰＲＯＭ２０４と、前記中央処理装置１０４の制御信号によって前記ＯＳＤ部１０３から出力される各共用メニュー、または前記ＯＳＤ部２０１から出力される各共用メニューを前記モニターに出力するスイッチング部５００とから構成されている。
【００２０】
このとき、前記共用メニューとは、ＶＣＲ及びＤＶＤＰの複合装置のＶＣＲ部及びＤＶＤＰ部で共通に使用するメニューである。即ち、前記共用メニューは、国家選択メニューと、多様な国家言語情報を表示する言語選択メニューと、特定放送プログラムに等級を与えて未成年者が成人用映画、または特定放送プログラムを視聴することを防止する等級制限視聴可能（ｐａｒｅｎｔ　ｌｏｃｋ）メニューとを含んでいる。また、前記共用データとは、前記国家コードに該当する国家データ及び／または前記国家コードに対応する言語コードの言語データと、前記等級制限視聴可能（ｐａｒｅｎｔｌｏｃｋ）メニューに該当する等級制限視聴可能（ｐａｒｅｎｔ　ｌｏｃｋ）等級（ｒａｔｉｎｇ　ｇｒａｄｅ）データとを含んでいる。このとき、前記言語コードは、’国際標準化機構（Ｉｎｔｅｒｎａｔｉｏｎａｌ　Ｓｔａｎｄａｒｄ　Ｏｒｇａｎｉｚａｔｉｏｎ；ＩＳＯ）６３９’に詳細に記載されていて、前記国家コードは’ＩＳＯ３１６６’に詳細に記載されている。
【００２１】
一方、前記ＶＣＲ及びＤＶＤＰの複合装置の共用データ設定装置内の第１マイクロコンピューターは、前記ＶＣＲ及びＤＶＤＰの複合装置のＶＣＲ部１００内に設置されて、前記中央処理装置１０４、該中央処理装置１０４の一時的なデータを格納する格納装置、例えば、ＲＡＭ１０２、前記中央処理装置１０４の制御信号によって様々なメニューをモニター４００上に表示するディスプレイ制御器、例えば、ＯＳＤ部１０３から構成されている。また、前記ＶＣＲ及びＤＶＤＰの複合装置の共用データ設定装置内の第２マイクロコンピューターは、前記ＶＣＲ及びＤＶＤＰの複合装置のＤＶＤＰ部２００内に設置されて、前記中央処理装置２０３、該中央処理装置２０３の一時的なデータを格納する格納装置、例えば、ＲＡＭ２０２、前記中央処理装置２０３の制御信号によって多様なメニューをモニター４００上に表示するディスプレイ制御器、例えば、ＯＳＤ部２０１とから構成されている。このとき、本発明は、前記ＥＥＰＲＯＭ１０４、２０４、ＲＡＭ１０２、２０２を使用する代わりに、データを格納し得る読出し専用メモリー（ＲＯＭ）のような多様な構造の格納装置を使用することもできる。
【００２２】
この時、前記マイクロコンピューターは、マイクロプロセッサーになることもあり得る。
【００２３】
以下、前記共用メニューに該当する共用データをＶＣＲ部内の中央処理装置１０４から前記ＤＶＤＰ部の中央処理装置２０３に出力する動作を順次説明する。また、前記共用データを前記ＤＶＤＰ部の中央処理装置２０３からＶＣＲ部内１００の中央処理装置１０４に伝送することもできるが、これに対して図６−図７に基づいて詳細に説明する。
【００２４】
まず、前記ＶＣＲ部内の中央処理装置１０４は、使用者が前記キー入力部１０５を通して前記各共用メニューから国家選択メニューを選択するために自動チャンネルメモリーシステム（Ａｕｔｏ　Ｃｈａｎｎｅｌ　Ｍｅｍｏｒｙ　Ｓｙｓｔｅｍ；以下、ＡＣＭＳと略称す）メニューを選択すると各国家コードを前記ＯＳＤ部１０３を通してモニター４００上に表示し、使用者が前記各国家コードから特定国家コードを選択すると、その選択された国家コードに該当する国家データが前記コネクター３００を通して前記ＤＶＤＰ部２００の中央処理装置２０３に出力される。この時、前記ＤＶＤＰ部２００の中央処理装置２０３は、前記コネクター３００を通して受信された国家データをＥＥＰＲＯＭ２０４に格納させることで、前記ＤＶＤＰ部２００にも前記ＶＣＲ部１００に設定された国家コードの国家データと同様な国家データが自動的に同様に設定される。従って、使用者はＶＣＲ部１００及びＤＶＤＰ部２００にそれぞれ前記国家データを設定する必要がない。即ち、使用者がＶＣＲ部１００で前記国家データを設定するとＤＶＤＰ部２００にも自動的に前記国家データが設定される。ここで、前記ＶＣＲ部１００内の中央処理装置１０４は、前記選択された国家コードを根拠に前記国家コードに該当する国家データ及び該国家コードに該当する言語コードの言語データを前記コネクター３００を通して前記ＤＶＤＰ部の中央処理装置２０３に出力することもできる。
【００２５】
また、前記ＶＣＲ部１００内の中央処理装置１０４は、使用者が前記キー入力部１０５を通して前記各共用メニューから言語メニューを選択すると言語コードを前記ＯＳＤ部１０３を通してモニター４００上に表示して、使用者が前記言語コードから特定言語コードを選択するとその選択された言語コードに該当する言語データを前記コネクター３００を通して前記ＤＶＤＰ部の中央処理装置２０３に出力する。この時、前記ＤＶＤＰ部２００の中央処理装置２０３は、前記コネクター３００を通して受信された言語データをＥＥＰＲＯＭ２０４に格納させることによって、前記ＶＣＲ部１００に設定された言語データと同様な言語データが前記ＤＶＤＰ部２００にも自動的に設定される。
【００２６】
従って、使用者がＶＣＲ部１００及びＤＶＤＰ部２００に前記言語データを設定する必要がない。即ち、使用者がＶＣＲ部１００に前記言語データを設定するとＤＶＤＰ部２００にも自動的に前記言語データが設定される。
【００２７】
また、前記ＶＣＲ部内の中央処理装置１０４は、使用者が前記キー入力部１０５を通して前記各共用メニューから等級制限視聴可能（ｐａｒｅｎｔ　ｌｏｃｋ）メニューを選択すると、複数の等級制限視聴可能（ｐａｒｅｎｔ　ｌｏｃｋ）等級（ｒａｔｉｎｇ　ｇｒａｄｅ）を前記ＯＳＤ部１０３を通してモニター４００上に表示して、使用者が前記複数の等級から特定等級を選択すると、その選択された等級に該当する等級制限視聴可能（ｐａｒｅｎｔ　ｌｏｃｋ）等級（ｒａｔｉｎｇ　ｇｒａｄｅ）データを前記コネクター３００を通して前記ＤＶＤＰ部２００の中央処理装置２０３に出力する。この時、前記ＤＶＤＰ部２００の中央処理装置２０３は、前記コネクター３００を通して受信された等級制限視聴可能（ｐａｒｅｎｔ　ｌｏｃｋ）等級（ｒａｔｉｎｇ　ｇｒａｄｅ）データをＥＥＰＲＯＭ（２０４）に格納させることによって、前記ＶＣＲ部１００に設定された等級制限視聴可能（ｐａｒｅｎｔ　ｌｏｃｋ）等級（ｒａｔｉｎｇ　ｇｒａｄｅ）データと同様なデータが前記ＤＶＤＰ部２００にも自動的に設定される。従って、使用者が各ＶＣＲ部１００及びＤＶＤＰ部２００に前記等級制限視聴可能（ｐａｒｅｎｔ　ｌｏｃｋ）等級（ｒａｔｉｎｇ　ｇｒａｄｅ）データを設定する必要がない。即ち、使用者がＶＣＲ部１００で前記等級制限視聴可能（ｐａｒｅｎｔ　ｌｏｃｋ）等級（ｒａｔｉｎｇ　ｇｒａｄｅ）データを設定すると、ＤＶＤＰ部２００にも自動的に前記等級制限視聴可能（ｐａｒｅｎｔ　ｌｏｃｋ）等級（ｒａｔｉｎｇ　ｇｒａｄｅ）データが設定される。
【００２８】
以下、本発明に係るＶＣＲ及びＤＶＤＰの複合装置の共用データ設定方法に対して、図２〜図７に基づいて詳細に説明する。
【００２９】
まず、前記各共用メニューに含まれた国家コードの国家データ及び／または言語コードの言語データと、等級制限視聴可能（ｐａｒｅｎｔ　ｌｏｃｋ）等級（ｒａｔｉｎｇ　ｇｒａｄｅ）データを前記ＶＣＲ及びＤＶＤＰ複合装置のＶＣＲ部１００からＤＶＤＰ部２００に伝送する過程に対して、図２及び図３に基づいて詳細に説明する。
【００３０】
図２は本発明に係るＶＣＲの初期セットアップメニュー及び国家選択メニューを示した図である。即ち、初期セットアップ（Ｓｅｔ−ｕｐ）メニュー上で使用者所望の言語を選択して、その選択された言語データをＶＣＲ部１００及びＤＶＤＰ部２００に設定することができる。また、前記国家選択メニューはＡＣＭＳメニューに含まれてモニター４００上に表示される。このとき、前記言語には、韓国語、英語（Ｅｎｇｌｉｓｈ）、ドイツ語（Ｄｅｕｔｓｃｈ）、スペイン語（Ｅｓｐａｎｏｌ）、フランス語（Ｆｒａｎｃａｉｓ）、ポルトガル語（Ｐｏｒｔｕｇｕｅｓ）、オランダ語（Ｎｅｄｅｒｌａｎｄｓ）、日本語、中国語、イタリア語（Ｉｔａｌｉａｎｏ）などがある。
【００３１】
図３は本発明に係るＶＣＲ及びＤＶＤＰ複合装置のＶＣＲ部からＤＶＤＰ部に国家データ及び／または言語データを伝送する方法を示した図で、図示されたように、前記ＶＣＲ部１００の中央処理装置１０４は、前記ＶＣＲ及びＤＶＤＰ複合装置の電源がオン（ｏｎ）になると（ＳＡ１）、前記初期セットアップメニューが使用者によって選択されたかを判断する（ＳＡ２）。前記中央処理装置１０４は、前記初期セットアップメニューが使用者により選択されると、前記セットアップメニューを前記ＯＳＤ部１０３に伝送し、該ＯＳＤ部１０３は、前記セットアップメニューを表す‘ＯＳＤ’を前記モニター４００上に表示する（ＳＡ３）。
【００３２】
次いで、前記中央処理装置１０２は、前記モニター４００上に表示されたセットアップメニュー上で前記共用メニューに該当するＡＣＭＳメニューが使用者により選択されたかを判断し（ＳＡ４）、前記ＡＣＭＳメニューが使用者により選択されると、前記中央処理装置１０２は使用者所望の国家を選択し得る前記各国家コードを有した国家選択メニューを前記ＯＳＤ部１０３に出力する。
【００３３】
次いで、前記ＯＳＤ部１０３は、前記国家選択メニューを表す‘ＯＳＤ’を前記スイッチング部５００を通して前記モニター４００上に表示し（ＳＡ５）、該モニター４００上に表示された国家選択メニューから前記中央処理装置１０２は使用者所望の国家コードを選択し（ＳＡ６）、該選択された国家コードに対応する国家データ及び／または国家コードに対応する言語コードの言語データを前記コネクター３００を通して前記ＤＶＤＰ部の中央処理装置２０３に伝送する。この時、前記ＥＥＲＯＭ１０１は、前記中央処理装置１０２の制御信号に依存して前記選択された国家コードに対応する国家データ／言語データを格納する（ＳＡ７−ＳＡ８）。このとき、前記中央処理装置１０２は、前記モニター４００上に表示されたセットアップメニューから使用者が前記共用メニューに該当するＡＣＭＳメニューを選択しないで言語メニューから特定言語コードを選択すると、その選択された言語コードの言語データを前記ＤＶＤＰ部２００の中央処理装置２０３に伝送することもできる。
【００３４】
一方、前記中央処理装置１０２は、前記国家データ及び／または言語データだけでなく、前記各共用メニューから等級制限視聴可能（ｐａｒｅｎｔ　ｌｏｃｋ）メニューに該当する複数の等級制限視聴可能（ｐａｒｅｎｔ　ｌｏｃｋ）等級（ｒａｔｉｎｇ　ｇｒａｄｅ）を前記ＯＳＤ部１０３を通してモニター４００上に表示して、使用者が前記等級から特定等級を選択すると、その選択された等級に該当する等級制限視聴可能（ｐａｒｅｎｔ　ｌｏｃｋ）等級（ｒａｔｉｎｇ　ｇｒａｄｅ）データを前記コネクター３００を通して前記ＤＶＤＰ部の中央処理装置２０３に出力することもできる。
【００３５】
以下、前記ＶＣＲ及びＤＶＤＰ複合装置のＶＣＲ部１００から伝送された共用データをＤＶＤＰ部２００で自動的に直接受信して、その受信されたデータを設定する方法に対し図４に基づいて詳細に説明する。
【００３６】
図４は本発明に係るＶＣＲ及びＤＶＤＰ複合装置のＤＶＤＰ部２００でＶＣＲ部１００から伝送された国家データ及び／または言語データを自動的に設定する方法を示した図で、図示されたように、前記ＤＶＤＰ部２００の中央制御装置２０３は、前記ＶＣＲ及びＤＶＤＰ複合装置の電源がオン（ｏｎ）になると（ＳＢ１）、前記ＤＶＤＰ部２００のセットアップメニューが初期段階であるかを判断する（ＳＢ２）。次いで、前記ＤＶＤＰ部２００のセットアップメニューが初期段階であると、前記スイッチング部３００から国家データ／言語データが伝送されたかを判断し（ＳＢ３）、その後、前記中央処理装置２０３は、前記コネクター３００から国家データ／言語データが伝送された時前記ＤＶＤＰ部のモードを受信モードに転換した後（ＳＢ４）、前記国家データ／言語データを受信して、該国家データ／言語データの受信が終了すると（ＳＢ５）、その受信された国家データ／言語データを前記ＥＥＰＲＯＭ２０４に出力する。
【００３７】
次いで、該ＥＥＰＲＯＭ２０４は、前記中央処理装置２０３から出力された前記国家データ／言語データを格納するため、使用者が各ＶＣＲ部及びＤＶＤＰ部に前記国家データ／言語データを設定する必要がない。このとき、前記中央処理装置２０３は前記国家データを根拠にＤＶＤに記録された字幕言語、サブ−タイトル言語、及びオーディオ言語を使用者の選択した国家の言語に自動的に設定する。また、２ケ国語以上の言語を使用する国家に対しては、優先順位の高い言語を選択して設定及び格納することもできる。
【００３８】
一方、前記ＤＶＤＰ部２００の中央処理装置２０３は、前記コネクター３００から国家データ／言語データが伝送されないと、前記ＤＶＤＰ部のセットアップメニューを前記ＯＳＤ部２０１に出力し、該ＯＳＤ部（２０１）は、前記各国家コードを有したＤＶＤＰ部のセットアップメニューを表す‘ＯＳＤ’を前記スイッチング部５００を通して前記モニター４００上に表示する（ＳＢ７）。次いで、前記ＤＶＤＰ部２００の中央処理装置２０３は、前記各国家コードから使用者所望の国家コードを選択すると（ＳＢ８）、該選択された国家コードに該当する国家データ／言語データを前記ＥＥＰＲＯＭ２０４に出力し、該ＥＥＰＲＯＭ２０４は前記選択された国家コードに該当する国家データ／言語データを格納する（ＳＢ９）。
【００３９】
且つ、前記中央処理装置２０３は、前記国家データ及び／または言語データだけでなく、使用者によって選択された前記等級制限視聴可能（ｐａｒｅｎｔ　ｌｏｃｋ）等級（ｒａｔｉｎｇ　ｇｒａｄｅ）データを前記コネクター３００を通して受信して、その受信された等級制限視聴可能（ｐａｒｅｎｔ　ｌｏｃｋ）等級（ｒａｔｉｎｇ　ｇｒａｄｅ）データを前記ＥＥＰＲＯＭ２０４に出力することもできる。この時、前記ＥＥＰＲＯＭ２０４は前記受信された等級制限視聴可能（ｐａｒｅｎｔ　ｌｏｃｋ）等級（ｒａｔｉｎｇ　ｇｒａｄｅ）データを格納する。
【００４０】
以下、前記各共用メニューに含まれた国家データ及び／または言語データと、等級制限視聴可能（ｐａｒｅｎｔ　ｌｏｃｋ）等級（ｒａｔｉｎｇ　ｇｒａｄｅ）データを前記ＶＣＲ及びＤＶＤＰ複合装置のＤＶＤＰ部からＶＣＲ部に伝送する過程に対して、図５〜図７に基づいて詳細に説明する。
【００４１】
図５は本発明に係るＤＶＤＰの初期セットアップメニュー及び国家選択メニューを示した図である。即ち、ディスクオーディオ、ディスクサブ−タイトル、ディスクメニュー、等級制限視聴可能（ｐａｒｅｎｔ　ｌｏｃｋ）メニュー、国家（国家コード）を表す国家メニュー、画面比（Ａｓｐｅｃｔ　Ｒａｔｉｏ）を表す画面比（ＴＶ　Ａｓｐｅｃｔ）メニュー、メニュー言語項目を含む前記ＤＶＤＰ部の初期セットアップ（Ｓｅｔ−ｕｐ）メニュー上で使用者がディスクオーディオを選択すると、様々な国家の言語（言語コード）を表す言語メニューが‘ＯＳＤ’形式に画面に表示される。このとき、前記言語には韓国語、英語（Ｅｎｇｌｉｓｈ）、ドイツ語（Ｄｅｕｔｓｃｈ）、スペイン語（Ｅｓｐａｎｏｌ）、フランス語（Ｆｒａｎｃａｉｓ）、ポルトガル語（Ｐｏｒｔｕｇｕｅｓ）、オランダ語（Ｎｅｄｅｒｌａｎｄｓ）、日本語、中国語、及びイタリア語（Ｉｔａｌｉａｎｏ）などがある。
【００４２】
また、前記使用者が前記ＤＶＤＰ部の初期セットアップ（Ｓｅｔ−ｕｐ）メニュー上でディスクオーディオを選択すると、各国家を表す国家選択メニューが‘ＯＳＤ’形式に画面上に表示される。このとき、前記国家選択メニューはディスクオーディオメニューに含まれて’ＯＳＤ’形式にモニター４００上に表示されることもできるし、使用者が前記ＤＶＤＰ部の初期セットアップ（Ｓｅｔ−ｕｐ）メニュー上で国家メニューを選択すると‘ＯＳＤ’形式に表示されることもできる。
【００４３】
図６は、本発明に係るＶＣＲ及びＤＶＤＰ複合装置のＤＶＤＰ部からＶＣＲ部に国家データ及び／または言語データを伝送する方法を示した図で、図示されたように、前記ＤＶＤＰ部２００の中央処理装置２０３は、前記ＶＣＲ及びＤＶＤＰ複合装置の電源がオン（ｏｎ）になると（ＳＡ１１）、前記初期セットアップメニューが使用者により選択されたかを判断し（ＳＡ１２）、前記初期セットアップメニューが使用者により選択されると、前記セットアップメニューを前記ＯＳＤ部２０１に伝送する。
【００４４】
次いで、該ＯＳＤ部２０１は、前記セットアップメニューを表す‘ＯＳＤ’（Ｏｎ　ＳｃｒｅｅｎＤｉｓｐｌａｙ）を前記スイッチング部５００を通して前記モニター４００上に表示する（ＳＡ１３）。
【００４５】
次いで、該モニター４００上に表示されたセットアップメニュー上の前記各国家コードを有した国家選択メニューから中央処理装置は使用者所望の国家コードを選択し（ＳＡ１４）、該選択された国家コードに対応する国家データ及び／または言語データを前記コネクター３００を通して前記ＶＣＲ部１００の中央処理装置１０４に伝送し、前記中央処理装置２０３の制御信号によって前記選択された国家コードに対応する国家データ／言語データが前記ＥＥＰＲＯＭ２０４に格納される（ＳＡ１５−ＳＡ１６）。
【００４６】
一方、前記中央処理装置２０３は、前記国家データ及び／または言語データだけでなく、前記セットアップメニュー中等級制限視聴可能（ｐａｒｅｎｔ　ｌｏｃｋ）メニューに該当する複数の等級制限視聴可能（ｐａｒｅｎｔ　ｌｏｃｋ）等級（ｒａｔｉｎｇ　ｇｒａｄｅ）を前記ＯＳＤ部２０１を通してモニター４００上に表示することで、使用者が前記等級から特定等級を選択すると、その選択された等級に該当する等級制限視聴可能（ｐａｒｅｎｔ　ｌｏｃｋ）等級（ｒａｔｉｎｇ　ｇｒａｄｅ）データを前記コネクター３００を通して前記ＶＣＲ部の中央処理装置１０４に出力することもできる。
【００４７】
以下、前記ＶＣＲ及びＤＶＤＰ複合装置のＤＶＤＰ部２００から伝送された国家データ及び／または言語データをＶＣＲ部１００で自動的に受信して、その受信されたデータを設定する方法に対して、図７に基づいて詳細に説明する。
【００４８】
図７は、本発明に係るＶＣＲ及びＤＶＤＰ複合装置のＶＣＲ部１００でＤＶＤＰ部２００から伝送された国家データ及び／または言語データを自動的に設定する方法を示した図で、図示されたように、前記ＶＣＲ部１００の中央制御装置１０４は、前記ＶＣＲ及びＤＶＤＰ複合装置の電源がオン（ｏｎ）になると（ＳＢ１１）、前記ＶＣＲ部１００のセットアップメニューが初期段階であるのかを判断し（ＳＢ１２）、該ＶＣＲ部１００のセットアップメニューが初期段階であると、前記コネクター３００から国家データ／言語データが伝送されたかを判断する（ＳＢ１３）。次いで、該スイッチング部３００から国家データ／言語データが伝送されると、前記中央処理装置２０３は前記ＶＣＲ部１００のモードを受信モードに転換した後（ＳＢ１４）、前記国家データ／言語データの受信が終了されると（ＳＢ１５）、その受信された国家データ／言語データを前記ＥＥＰＲＯＭ１０１に出力する。
【００４９】
次いで、該ＥＥＰＲＯＭ１０１は、前記中央処理装置１０４から出力された前記国家データ／言語データを格納するため、使用者がＶＣＲ部１００及びＤＶＤＰ部２００に前記国家データ／言語データを設定する必要がなく、使用者がＶＣＲ部１００またはＤＶＤＰ部２００中何れか一つの部に前記国家データ／言語データを格納することで、他の部にも自動的に前記国家データ／言語データが格納される。
【００５０】
一方、前記ＶＣＲ部１００の中央処理装置１０４は、前記スイッチング部３００から国家データ／言語データが伝送されないと、前記ＶＣＲ部１００のセットアップメニューを前記ＯＳＤ部１０３に出力し、該ＯＳＤ部１０３は、前記各国家コードを有したＶＣＲ部のセットアップメニューを表す‘ＯＳＤ’を前記スイッチング部５００を通して前記モニター４００上に表示する（ＳＢ１７）。
【００５１】
次いで、前記ＶＣＲ部１００の中央処理装置１０４は、前記各国家コードから使用者所望の国家コードを選択すると（ＳＢ１８）、前記選択された国家コードに該当する国家データ／言語データを前記ＥＥＰＲＯＭ１０１に出力し、該ＥＥＰＲＯＭ１０１は前記選択された国家コードに該当する国家データ／言語データを格納する（ＳＢ１９）。
【００５２】
一方、前記中央処理装置１０４は、前記国家データ及び／または言語データだけでなく、前記使用者によって選択された等級制限視聴可能（ｐａｒｅｎｔ　ｌｏｃｋ）等級（ｒａｔｉｎｇ　ｇｒａｄｅ）データを前記スイッチング部３００を通して受信して、その受信された等級制限視聴可能（ｐａｒｅｎｔ　ｌｏｃｋ）等級（ｒａｔｉｎｇ　ｇｒａｄｅ）データを前記ＥＥＰＲＯＭ１０１に出力することで、該ＥＥＰＲＯＭ１０１は前記受信された等級制限視聴可能（ｐａｒｅｎｔ　ｌｏｃｋ）等級（ｒａｔｉｎｇ　ｇｒａｄｅ）データを格納することもできる。
【００５３】
従って、使用者がＶＣＲ部またはＤＶＤＰ部で共用するデータ（国家データ、言語データ、視聴可能等級データ等）をＶＣＲ部及びＤＶＤＰ部中何れか一方に設定すると、使用者の別途の操作を必要とせずに他の方にも自動的に同様に設定されるようになる。
【００５４】
一方、本発明は、第１機能を実施する第１中央処理装置を有していて、前記第１機能を実施する前に要請された情報を受信する第１装置（例えば、ＶＣＲ）と、前記第１機能と異なる機能である第２機能を実施する第２中央処理装置を有し、前記第２機能を実施する前に前記要請された情報を受信する第２装置（例えば、ＤＶＤＰ）を含むシステム（例えば、複合装置）を通して、自動的に前記共用データを設定することもできる。この時、前記システムは、前記第１及び第２装置が前記各機能を実施するためにそれぞれ動作する前に、一度だけ前記要請された情報を受信するように構成されることが好ましい。
【００５５】
又、本発明はＡＴＳＣ（Ａｄｖａｎｃｅｄ　Ｔｅｌｅｖｉｓｉｏｎ　Ｓｙｓｔｅｍ　Ｃｏｍｍｉｔｔｅｅ）セット−トップボックス（ｓｅｔ−ｔｏｐ　ｂｏｘ）とＤＶＤＰ部の複合装置内で相互間の機能ＯＳＤ言語データを伝送／受信することもできる。
【００５６】
【発明の効果】
以上説明したように、本発明に係るＶＣＲ及びＤＶＤＰ複合装置の共用データ設定装置及びその方法においては、ＶＣＲ及びＤＶＤＰ複合装置のＶＣＲ部またはＤＶＤＰ部で共通に使用される国家データ、言語データ、等級制限視聴可能（ｐａｒｅｎｔ　ｌｏｃｋ）データを含む共用データを使用者がＶＣＲ部及びＤＶＤＰ部中何れか一方（例えば、ＶＣＲ部）に設定すると、他の部（例えば、ＤＶＤＰ部）にも自動的に前記共用データが設定されることで、使用者がＶＣＲ部及びＤＶＤＰ部に前記共用データを設定する必要がなく、極めて簡便であるという効果がある。
【図面の簡単な説明】
【図１】本発明に係るＶＣＲ及びＤＶＤＰの複合装置の共用データ設定装置の構造を示したブロック図である。
【図２】本発明に係るＶＣＲの初期セットアップメニュー及び国家選択メニューを示した記録図である。
【図３】本発明に係るＶＣＲ及びＤＶＤＰ複合装置のＶＣＲ部からＤＶＤＰ部に国家データ及び／または言語データを伝送する方法を示したフローチャートである。
【図４】本発明に係るＶＣＲ及びＤＶＤＰ複合装置のＤＶＤＰ部でＶＣＲ部から伝送された国家データ及び／または言語データを自動的に設定する方法を示したフローチャートである。
【図５】本発明に係るＤＶＤＰの初期セットアップメニュー及び国家選択メニューを示した記録図である。
【図６】本発明に係るＶＣＲ及びＤＶＤＰ複合装置のＤＶＤＰ部からＶＣＲ部に国家データ及び／または言語データを伝送する方法を示したフローチャートである。
【図７】本発明に係るＶＣＲ及びＤＶＤＰ複合装置のＶＣＲ部でＤＶＤＰ部から伝送された国家データ及び／または言語データを自動的に設定する方法を示したフローチャートである。
【図８】従来ＶＣＲ及びＤＶＤＰの複合装置のデータ設定装置の構造を示したブロック図である。
【符号の説明】
１００…ＶＣＲ部
１０１、２０４…ＥＥＰＲＯＭ
１０２、２０２…ＲＡＭ
１０３、２０１…ＯＳＤ部
１０４、２０３…中央処理装置
１０５…キー入力部
３００…コネクター
４００…モニター
５００…スイッチング部
【図１】
2004032667.tif 000003
【図２】
2004032667.tif 000004
【図３】
2004032667.tif 000005
【図４】
2004032667.tif 000006
【図５】
2004032667.tif 000007
【図６】
2004032667.tif 000008
【図７】
2004032667.tif 000009
【図８】
2004032667.tif 000010